(57)【特許請求の範囲】
【請求項１】
左右１対の縦杆の各端部同士を、横杆をもって互いに連結し、かつ各縦杆の外側面に、ねじ挿通孔と長手方向を向く長孔とを設けてなる矩形枠状のフレームと、
裏面両側部に複数の係止孔が設けられ、かつ前記フレームの前後の少なくとも片面に、上下に並べて配設された複数のパネルと、
前記フレームの両縦杆の内側面に沿って配設され、少なくとも前後いずれかの側縁に、前記パネルの係止孔に係合するフックを有するとともに、前記フレームの縦杆に設けられた長孔を挿通する移動操作用のボルトが螺合しうるねじ孔と、前記フレームの縦杆に設けられたねじ挿通孔を挿通する固定用ねじが螺合するねじ孔とが設けられた係止部材とを備え、
前記係止部材の各フックを、対応するパネルの係止孔の縁に係合させるとともに、前記係止部材を、固定用ねじをもって縦杆にねじ止めしたことを特徴とする間仕切パネル。
【請求項２】
上下方向に分離された複数のパネルの各側部を、上下方向に離間した複数の係止部材をもって、互いに独立して、縦杆に固着した請求項１記載の間仕切パネル。
【請求項３】
上下方向に分離された複数のパネルの各側部を、上下方向を向く１個の係止部材をもって、縦杆に固着した請求項１記載の間仕切パネル。
【請求項４】
複数のパネルのうちのいずれかを、透視可能パネルとした請求項１〜３のいずれかに記載の間仕切パネル。
【請求項５】
フレームの内部における透視可能パネルを通して視認できる部分の縁部を、遮蔽板により覆った請求項４記載の間仕切パネル。
【請求項６】
前後１対の透視可能パネルにおける左右の側縁に設けた縦サッシの裏面に、係止部材より内方において、互いに対向して、先端同士が突き合わされるか、又は近接するようにした突片をそれぞれ設けた請求項４または５記載の間仕切パネル。
【請求項７】
フレームの上下いずれかの端部に、フックに係合している係止孔の縁がフックから外れる方向へのパネルの移動を阻止する外向き突片を設けた請求項１〜６のいずれかに記載の移動間仕切装置における間仕切パネル。
【発明の詳細な説明】
【技術分野】
【０００１】
本発明は、オフィス等の室内を仕切る間仕切パネルに関する。
【背景技術】
【０００２】
従来、据付式の間仕切パネルにおいては、フレームを現地で組み立て、その後、フレームの両側面に、化粧パネルを装着して、完成させることが多い。
【０００３】
また、天井に設けたレールに沿って移動するランナに吊支した間仕切パネルを、レールに沿って移動しうるようにした移動間仕切装置においては、フレームをランナに吊支した状態で、フレームに化粧パネルを装着することが困難であり、しかも、間仕切パネルの縁部に、天井や床との隙間を閉塞する閉塞手段や、アルミニュウム合金製の縁材を装着する等の作業が煩雑であるため、予め工場において組み立てておくことが多い(例えば特許文献１参照)。
【特許文献１】特開２００２−１７４０６８号公報
【発明の開示】
【発明が解決しようとする課題】
【０００４】
しかし、近年、移動間仕切の間仕切パネルと据付式の間仕切パネルとのデザインの統一を図るとともに、移動間仕切の間仕切パネルを工場や現地において、一人でも、簡単かつ迅速に組み立てできることが要望されるようになってきており、従来の移動間仕切の間仕切パネルの構造では、上述したように、組み付け作業が煩雑過ぎて、上記の要望を満たすことが実質的に難しい状況である。
また、単なる一枚物の化粧パネルのみでなく、化粧パネルとガラス製のパネルとを組合せて、１個の間仕切パネルを構成する場合には、作業がさらに煩雑なものとなり、現場組立はさらに困難になる。
【０００５】
本発明は、従来の技術が有する上記のような問題に鑑み、少なくとも片面に複数のパネルを組合せてフレームに装着する組み合わせ式の間仕切パネルにおいて、構造が簡単で、組み付け作業が容易であり、一人でも簡単に組み立てることができるようにした間仕切パネルを提供することを目的としている。
【課題を解決するための手段】
【０００６】
本発明によると、上記課題は次のようにして解決される。
(１)  左右１対の縦杆の各端部同士を、横杆をもって互いに連結し、かつ各縦杆の外側面に、ねじ挿通孔と長手方向を向く長孔とを設けてなる矩形枠状のフレームと、裏面両側部に複数の係止孔が設けられ、かつ前記フレームの前後の少なくとも片面に、上下に並べて配設された複数のパネルと、前記フレームの両縦杆の内側面に沿って配設され、少なくとも前後いずれかの側縁に、前記パネルの係止孔に係合するフックを有するとともに、前記フレームの縦杆に設けられた長孔を挿通する移動操作用のボルトが螺合しうるねじ孔と、前記フレームの縦杆に設けられたねじ挿通孔を挿通する固定用ねじが螺合するねじ孔とが設けられた係止部材とを備え、前記係止部材の各フックを、対応するパネルの係止孔の縁に係合させるとともに、前記係止部材を、固定用ねじをもって縦杆にねじ止めする。
【０００７】
(２)  上記(１)項において、上下方向に分離された複数のパネルの各側部を、上下方向に離間した複数の係止部材をもって、互いに独立して、縦杆に固着する。
【０００８】
(３)  上記(１)項において、上下方向に分離された複数のパネルの各側部を、上下方向を向く１個の係止部材をもって、縦杆に固着する。
【０００９】
(４)  上記(１)〜(３)項のいずれかにおいて、複数のパネルのうちのいずれかを、透視可能パネルとする。
【００１０】
(５)  上記(４)項において、フレームの内部における透視可能パネルを通して視認できる部分の縁部を、遮蔽板により覆う。
【００１１】
(６)  上記(４)または(５)項において、前後１対の透視可能パネルにおける左右の側縁に設けた縦サッシの裏面に、係止部材より内方において、互いに対向して、先端同士が突き合わされるか、又は近接するようにした突片をそれぞれ設ける。
【００１２】
(７)  上記(１)〜(６)項のいずれかにおいて、フレームの上下いずれかの端部に、フックに係合している係止孔の縁がフックから外れる方向へのパネルの移動を阻止する外向き突片を設ける。
【発明の効果】
【００１３】
本発明によると、次のような効果を奏することができる。
請求項１記載の発明によると、ほぼ水平に支持したフレームの左右の縦杆の内側に、係止部材を配設し、フレームの少なくとも片面(または両面)に、複数のパネルを、並べて、かつそれぞれの係止孔に、係止部材のフックが嵌合するようにして添設し、次いで、移動操作用ボルトを、縦杆の長孔を通して、各係止部材の移動用ねじ孔に螺合し、移動操作用ボルトとともに、係止部材を、各フックの先端が向く方向に移動させることにより、各フックを対応する各係止孔の縁に係止させ、その状態で、縦杆のねじ挿通孔に挿通した固定ねじを、係止部材の固定ねじ用のねじ孔に螺合して、係止部材を縦杆に固着することにより、間仕切パネルを、現場等においても、一人でも簡単かつ迅速に組み立てることができる。  
フレームの両面にパネルを装着する場合は、背中合わせとした複数対(片面は１枚パネルでもよい)のパネルの間に、フレームと左右１対の係止部材とを、各係止部材のフックが、対応する各パネルの係止孔に嵌合するようにして、サンドイッチ状に挟んで、それらを水平に支持した後、移動操作用ボルトを、縦杆の長孔を通して、各係止部材の移動用ねじ孔に螺合し、移動操作用ボルトとともに、係止部材を、各フックの先端が向く方向に移動させ、その後は、上記と同様として、この場合にも、間仕切パネルを、現場等においても、一人でも簡単かつ迅速に組み立てることができる。  
なお、間仕切パネルの完成後、移動操作用のボルトは、外して、次の間仕切パネルの組立てに再利用することができる。  
また、フレームと、複数のパネルと、係止部材とのわずかの部品点数だけで、間仕切パネルを簡単に形成することができ、構造を簡素化することができる。
【００１４】
請求項２記載の発明によると、フレームの上下いずれかの端部から、複数のパネルを、１個ずつ、短寸の係止部材を用いて、フレームに順次組み付けていくことができる。
したがって、例えば透視可能パネルと他のパネルとのように、種類の異なるパネルを、上下方向に交互に取付ける場合等に便利である。
【００１５】
請求項３記載の発明によると、フレームの片面に、複数のパネルを並べて配設し、左右１対の係止部材を移動させて、そのフックを、全パネルの係止孔に一斉に係止させ、短時間で、間仕切パネルを組み立てることができる。
したがって、例えば同種の複数のパネルを、上下方向に並べて取付ける場合等に便利である。
【００１６】
請求項４記載のの発明によると、間仕切に透光部を形成することができ、仕切られた隣の空間を見通すことができるとともに、美麗な外観を呈することができる。
【００１７】
請求項５記載の発明によると、フレームの内部における透視可能パネルを通して視認できる部分の縁部を、遮蔽板により覆ってあるので、フレームの内部に装着した係止部材や、その他の内部部品等が透視可能パネルを通して外部に露呈することがなく、美麗な外観を呈することができる。
【００１８】
請求項６記載の発明によると、係止部材およびそのねじ結合部が、突片により覆われるので、それらが透視可能パネルを通して外部に露呈することがなく、美麗な外観を呈することができる。
【００１９】
請求項７記載の発明によると、フレームの上下いずれかの端部に、フックに係合している係止孔の縁がフックから外れる方向への化粧パネルの移動を阻止する外向き突片を設けてあるので、パネルは、フレームに、外れることなく、確実に装着される。
【発明を実施するための最良の形態】
【００２０】
以下、本発明の実施形態を、添付図面を参照して説明する。  
図１に示すように、この実施形態の間仕切パネル１は、室内の天井高さに応じた上下寸法としてあり、その上半部を、透明もしくは半透明の板ガラスもしくはアクリル板、またはそれらに模様を付したもの、網板、格子状板等よりなる前後１対の透視可能パネル２により構成し、下半部を、前後１対の鋼板製化粧パネル３により構成してあり、その上端部を、天井４の下面に固着したレール５に沿って移動する１対のランナ６、６に、吊りボルト７、７をもって吊支し、下端が床８の床面ＦＬに近接した状態で移動するようになっている。この間仕切パネル１の上半部の透視可能パネル２により、間仕切パネル１によって仕切られた両室内の視認性を確保するようにしてある。
【００２１】
ランナ６は、どのようなタイプのものでもよいが、この例では、図２に示すように、吊りボルト７の上端部に、スペーサ９を介して、上下に離して枢支した１対の水平ローラ１０、１１を備えるものとしてある。
上段のローラ１０は、下端が開口する下向きコ字状としたレール５の内面における中位部の一側より内向き突設したローラ受片５ａ上に、また、下段のローラ１１は、レール５の内面における下端部の他側より内向き突設したローラ受片５ｂ上に、それぞれ回転可能に支持されて、互いに逆方向に回転しつつ、レール５に沿って移動しうるようになっている。
【００２２】
間仕切パネル１の上下の端部には、間仕切パネル１の上端とレール５の下面との間、および間仕切パネル１の下端と床面ＦＬとの間の隙間を閉塞する隙間閉塞部材１２、１２が、上下方向に進退自在に設けられている。
なお、この隙間閉塞部材１２、１２を移動させる手段については、本発明に直接関係しないため、図示および詳細な説明は省略する。
【００２３】
上部の隙間閉塞部材１２と、それを移動させる手段と、上部の隙間閉塞部材１２を貫通して、間仕切パネル１を吊支する吊りボルト７の下端部との前後面と下端面とは、上方に向かって開口する側面視上向コ字状の遮蔽板１３により覆われており、透視可能パネル２を通して、それらの間仕切パネル１内の部品が外方から視認されることを防止している。
【００２４】
各透視可能パネル２は、所要の縦横寸法に形成された板ガラス等のパネル基材２ａと、パネル基材２ａの上縁を縁取る上部サッシ１４と、パネル基材２ａの左右の両側縁を縁取る１対の縦サッシ１５、１５と、パネル基材２ａの下縁を縁取る下部サッシ１６とを備えている。
すなわち、パネル基材２ａの外周を、左右の縦サッシ１５、１５、および上下部サッシ１４、１６をもって囲繞している。
【００２５】
下部サッシ１６は、化粧パネル３の上縁と接合するための連結具、前後の透視可能パネル２、２の前後間隔を規制するスペーサ、および透視可能パネル２、２を通して、それらの下端より下方の間仕切パネル１の内部空間が視認されることを防止する遮蔽体等としての機能を有している。
【００２６】
図４に拡大して示すように、下部サッシ１６は、アルミニウム合金の押出し成形体からなり、パネル基材２ａの下縁をシール材１７を介して嵌め付けたサッシ部１６ａと、サッシ部１６ａの内側に一体化され、かつ互いに前後より突き合わされることにより、透視可能パネル２、２同士の前後間隔を保持するほぼ中空角筒状のスペーサ部１６ｂとを備えている。
【００２７】
化粧パネル３は、薄鋼板製のパネル基材３ａの外周縁を裏面側に向けて直角に折曲して折曲片３ｂを形成するとともに、その内側のパネル基材３ａの裏面に、石膏ボード等からなる所定厚さの断熱材１８を固着し、さらに、上端の折曲片３ｂの遊端に、上向きの係止片３ｃを連設したものよりなり、この係止片３ｃを、透視可能パネル２におけるサッシ部１６ａの下部とスペーサ部１６ｂとの間に形成した係合溝１６ｃに差し込み、かつ断熱材１８の裏面を、スペーサ部１６ｂの下部表面に形成した当接部１６ｄに当接させることにより、化粧パネル３の表面と、透視可能パネル２の下部サッシ１６の前面とが整合するように、化粧パネル３と透視可能パネル２との前後方向の相対移動を阻止するようにしてある。
【００２８】
図５は、上記間仕切パネル１を分解して示すものであり、左右１対の縦杆１９、１９の上下の端部同士を、横杆２０、２０により互いに連結した矩形枠状のフレーム２１の両面に、透視可能パネル２および化粧パネル３のそれぞれを、左右１対の係止部材２２をもって位置決めして固定したものよりなっている。
【００２９】
各縦杆１９は、アルミニウム合金の押出し成形体からなり、その側面には、複数のねじ挿通孔２３と上下方向に長い長孔２４との対が、その長手方向に沿って設けられている。
【００３０】
上方の横杆２０の上部及び下方の横杆２０の下部は、それぞれ上下外向きに開口し、そこに、隙間閉塞部材１２が上下動可能として収容されるようになっており、各開口の両縁には、透視可能パネル２の上端および化粧パネル３の下端を取付るための前後外向きのフランジ２０ａ、２０ａが形成されている。
【００３１】
遮蔽板１３は、その前後の側片を、フレーム２１における上部の横杆２０の前後面に接着するか、または前後の側片の上端に設けた外向き突片(図示略)を、フランジ２０ａ、２０ａの下面に当接させて、透視可能パネル２とともに、固定用ねじＢをもって、フランジ２０ａ、２０ａに固着してもよい。
【００３２】
各係止部材２２は、縦杆１９の内側に配設されるものであり、前後の側縁に複数対の上向きＬ字形のフック２５ａが一体に形成された縦長板材２５と、この板材２５の内側に沿って溶接等により一体化された平面視内向きコ字状の補強材２６とからなっており、この板材２５および補強材２６を貫通する固定用ねじ孔２７と移動操作用ねじ孔２８との対が、長手方向に沿って複数対設けられている。
これらの対は、縦杆１９に設けられた挿通孔２３と長孔２４の対に対応しており、長孔２４に移動操作用のボルト２９を挿通し、その先端部を係止部材２２のねじ孔２８に螺合して、移動操作用ボルト２９とともに係止部材２２を上下方向に移動させ、縦杆１９のねじ挿通孔２３と係止部材２２のねじ孔２７とが一致したことを目視により確認した上で、固定用ねじＢを、ねじ挿通孔２３を通して、ねじ孔２７に螺合することにより、係止部材２２の固定がなされる。
【００３３】
各係止部材２２のフック２５ａに対応して、透視可能パネル２の縦サッシ１５の裏面、および化粧パネル３の裏面の両側部には、上下方向に長い長孔状の複数の係止孔３０が形成されており、フック２５ａが係止孔３０の上縁に係合した状態で、透視可能パネル２および化粧パネル３の両側部の位置決め固定がなされるようになっている。
【００３４】
前後の透視可能パネル２における左右の縦サッシ１５の裏面には、係止部材２２より内方において、互いに対向して、先端同士が突き合わされるか、又は近接するようにした遮蔽用の突片１５ａ、１５ａがそれぞれ設けられており、両突片１５ａ、１５ａにより、係止部材２２およびそのねじ結合部が内側より覆われるので、それらが透視可能パネル２、２を通して外部に露呈することがなく、美麗な外観を呈することができる。
【００３５】
上記間仕切パネル１の組立作業は、図６、および図７に示すように、移動操作用ボルト２９により係止部材２２をフレーム２１の両側部内側に仮固定し、かつフレーム２１の前後の面を、前後の透視可能パネル２および化粧パネル３で挟んだ状態で、それらを床面または適宜の支持台(図示略)上に水平に載置する。
このとき、上下の横杆２０、２０のフランジ２０ａ、２０ａにより、透視可能パネル２と化粧パネル３とが両側から挟まれ、かつ各係止部材２２のフック２５ａが、対応する透視可能パネル２および化粧パネル３の係止孔３０に嵌合するようにして、透視可能パネル２および化粧パネル３の上にフレーム２１と各係止部材２２とを重ね、さらにその上に、別の透視可能パネル２および化粧パネル３を、上記と同様にして重ねておく。
【００３６】
次に、移動操作用ボルト２９を、図６、および図７における矢印方向、すなわち各フック２５ａの先端が向く方向に移動させて、フック２５ａを係止孔３０の縁に係合させるとともに、係止部材２２のねじ孔２７を、ねじ挿通孔２３に一致させ、その状態で、固定用ねじＢを、ねじ挿通孔２３を通して、ねじ孔２７に螺合することにより、透視可能パネル２および化粧パネル３を、フレーム２１に位置決めして固定する。
【００３７】
その後、透視可能パネル２の上端および化粧パネル３の下端を、上下の横杆２０、２０のフランジ２０ａ、２０ａに、固定用ねじＢをもってねじ止めする。
【００３８】
なお、本実施形態では、透視可能パネル２および化粧パネル３を、上下方向に離間したそれらに専用の複数の係止部材２２をもって、フレーム２１に装着しているが、上下方向を向く１個の共通の係止部材をもって、透視可能パネル２と化粧パネル３とを、フレーム２１に同時に装着するようにしてもよい。
また組立手順としては、透視可能パネル２の上端および化粧パネル３の下端を、先に、上下のフランジ２０ａにねじ止めしておき、その後、透視可能パネル２および化粧パネル３の両側部を、係止部材２２をもって、フレーム２１に固定してもよい。
【００３９】
図３は、組立完了状態における間仕切パネル１の横断平断面である。図３における右方の縦杆１９の横断面は、外側方に向かって開口する凹状をなし、その内側に、１対のシール部材３１が設けられている。
左方の縦杆１９は、右方の縦杆１９の凹状と補形をなす凸状をなし、これによって隣合う間仕切パネル１、１同士を接合した際に、その凹状部分と凸状部分とが互いに嵌合し合い、両間仕切パネル１、１が、隙間なく配置されるようになっている。
また、左右の縦杆１９、１９の外側面中央部には、固定用ねじＢの頭部を覆うように、ゴム等の弾性体からなる閉塞部材３２が、着脱自在に装着されている。
【００４０】
図８(ａ)〜(ｃ)は、間仕切パネル１の変形例を示す。
(ａ)は、上側に位置する透視可能パネル２の高さを、全高の２／３程度とし、下部の残部を化粧パネル３とした場合を示し、(ｂ)は、間仕切パネル１を上下方向に３等分し、その中央に透視可能パネル２を配置し、その上下を化粧パネル３とした場合を示し、(ｃ)は、間仕切パネル１の全高を３分割し、その全てを透視可能パネル２とした場合を示している。
【００４１】
このように、本発明においては、目的や用途に応じて、形状や構造を種々選択することができる。
また、フレーム２１の片面のみに、複数のパネルを、上述のようにして上下多段状に装着し、もう一方の片面には、１枚パネルを装着するか、またパネルを一切装着しないようにすることもできる。
【図面の簡単な説明】
【００４２】
【図１】本発明の間仕切パネルの一実施形態を、天井に設けたレールに沿って移動するランナに吊支した状態を示す正面図である。
【図２】図１のII-II線に沿う拡大縦断側面図である。
【図３】図１のIII−III線に沿う拡大横断平面図である。
【図４】図２のIV部の拡大縦断側面図である。
【図５】本発明の間仕切パネルの一実施形態の分解斜視図である。
【図６】同じく、組立て途中の状況を示す斜視図である。
【図７】図６におけるVII−VII線に沿う拡大縦断面図である。
【図８】(ａ)〜(ｃ)は、本発明の間仕切パネルのそれぞれ別の変形例を示す正面図である。
【符号の説明】
【００４３】
１  間仕切パネル
２  透視可能パネル
２ａパネル基材
３  化粧パネル
３ａパネル基材
３ｂ折曲片
３ｃ係止片
４  天井
５  レール
５ａ、５ｂ  レール受け片
６  ランナ
７  吊りボルト
８  床
９  スペーサ
１０、１１  水平ローラ
１２  隙間閉塞部材
１３  遮蔽板
１４  上部サッシ
１５  縦サッシ
１５ａ突片
１６  下部サッシ
１６ａサッシ部
１６ｂスペーサ部
１６ｃ係合溝
１６ｄ当接面
１７  シール材
１８  断熱材
１９  縦杆
２０  横杆
２０ａフランジ
２１  フレーム
２２  係止部材
２３  ねじ挿通孔
２４  長孔
２５  板材
２５ａフック
２６  補強材
２７、２８  ねじ孔
２９  移動操作用ボルト
３０  係止孔
３１  シール部材
３２  閉塞部材
Ｂ  固定用ねじ
【図１】
0004981582.tif 000002
【図２】
0004981582.tif 000003
【図３】
0004981582.tif 000004
【図４】
0004981582.tif 000005
【図５】
0004981582.tif 000006
【図６】
0004981582.tif 000007
【図７】
0004981582.tif 000008
【図８】
0004981582.tif 000009